(57)【要約】【課題】従来，用紙折り装置は搬送機構を伴うのが一般的だが，この過程は，本来折り加工とは関係のないものであるので，これを省略し，用紙束から分離した用紙を折り機構に直接受け渡す用紙折り装置を提供する。【解決手段】折り加工用のローラ対に直接用紙束を圧接し，用紙束を保持する器具の末端にストッパ板を設け，ストッパ板に近い側のローラの，用紙に対する摩擦を小さくすることにより，用紙束から１枚ずつ用紙を分離し，正しい位置でニップに捉えさせ，折り加工済みの用紙を反対側に搬出する。【選択図】なし【特許請求の範囲】
【請求項１】
互いに圧接するローラ対の一方を巻き込みローラ，他方を送りローラと称し，保持器具により用紙束をローラ対に接する状態に保ち，巻き込みローラ側の保持器具の末端にストッパ板を設け，保持器具の反対側からは圧接器具によって用紙束をローラ対に圧接させ，かつ，各接触面の摩擦の大きさを，巻き込みローラと用紙，用紙束内で互いに接する用紙同士，圧接器具と用紙，送りローラと用紙，ローラ対ニップと用紙，の順に大きくなるように調節した上で，ローラ対の回転にもかかわらず，巻き込みローラからストッパ板までの用紙部分は用紙束に残るが，残りの用紙部分は送りローラの送り機能によって用紙束から分離し，たわんだ用紙部分がニップに捉えられて以降は，用紙全体が用紙束から分離し，ニップの反対側に搬出される用紙折り装置。
【請求項２】
請求項１の発明において，圧接器具の圧力を可変とするか，送りローラと用紙束とを自在に接触させたり分離させたりできる機構を加えた上で，まず圧接器具に加圧させるか，もしくは用紙束と送りローラを接触させることにより，用紙束から用紙を分離し，ニップに捉えさせた後，圧接器具に減圧させるか，用紙束を送りローラから分離することにより，用紙束に対する送りローラの送り機能を無効化し，さらに折り加工中の用紙終端から十分な空隙を得た後に，圧接器具に加圧させるか，用紙束と送りローラを接触させることにより，折り加工済みの用紙を１枚ずつ分離して得ることが出来る用紙折り装置。
【請求項３】
請求項１の発明において，送りローラの円柱側面上に，円柱軸と平行なゾーンを設け，かつ，該ゾーンにのみ送りローラとしての摩擦が生じるように，かつ，他の側面部分である非ゾーンには巻き込みローラと同等の摩擦が生じるようにした上で，ニップに捉えられて巻き込まれつつある用紙の終端が必ず非ゾーン上に乗り，かつ該終端から十分な幅の非ゾーンが確保できるよう調節することにより，加工中の用紙の終端を見送った後，ゾーンが回ってきて用紙束と接するまで，送りローラの送り機能を無効化し，折り加工済みの用紙を１枚ずつ分離して得ることが出来る用紙折り装置。
【請求項４】
請求項２または請求項３の装置において，追加ローラを送りローラに圧接させ，また，一方が短く，他方が長い２枚の板と，末端のストッパと，からなり，開口部を送りローラと追加ローラのニップ方向に向けたガイド板を設けた上で，保持器具を送りローラ側に移動させた状態でローラを回転させると，ローラ対から搬出された用紙先端がガイド板に導かれて末端のストッパに当接した後，なおローラ対から搬出中である送りローラ側の残り用紙部分が，送りローラと追加ローラのニップ方向にたわみ，そのまま巻き取られることにより，用紙全体が内三つ折り加工を施されて搬出され，また，保持器具を巻き込みローラ側に移動させてローラを回転させると，ローラ対から搬出された用紙先端がガイド板末端のストッパに当接した後，なおローラ対から搬出中である巻き込みローラ側の残り用紙部分が，送りローラと追加ローラのニップ方向にたわみ，そのまま巻き取られることにより，外三つ折りの加工を施されて搬出される用紙折り装置。
【発明の詳細な説明】
【技術分野】
【０００１】
この発明は，搬送機構を省略し，用紙束から分離した用紙を折り機構に直接受け渡す用紙折り装置に関する。
【背景技術】
【０００２】
従来一般の用紙折り装置は，用紙束から分離した用紙を，搬送機構を経由した後に，折り機構に受け渡す方法をとっていた。
【０００３】
たとえば下記特許文献１はその例である。
【先行技術文献】
【特許文献】
【０００４】
【特許文献１】特開２０１２−１５８４０９号公報
【発明の概要】
【発明が解決しようとする課題】
【０００５】
上記した従来一般の方法によれば，折り加工とは関係のない，搬送のためのローラや搬送経路，また搬送のタイミングを調節する機構等を備えなければならず，部品点数や製造コストの面で不利があった。
【０００６】
そこで本発明では，搬送機構を省略し，用紙束から分離した用紙を折り機構に直接受け渡す用紙折り装置を提供することを目的としている。
【課題を解決するための手段】
【０００７】
上記の課題を解決するために，請求項１の発明においては，まず，折り加工のための互いに圧接するローラ対と，ローラ対のニップ方向以外には用紙のたわみを生じさせないで用紙束をローラ対に接する状態に保つ保持器具と，用紙束の厚みに十分に対応できる丈を持ちながら保持器具の末端に設けられるストッパ板と，保持器具の反対側から用紙束をローラ対に圧接させるための圧接器具と，から装置本体をなす。
【０００８】
次に，ローラ対においてストッパ板に近い方を巻き込みローラ，他方を送りローラと称した上で，接触面の摩擦の大きさを，巻き込みローラと用紙，用紙束内で互いに接する用紙同士，圧接器具と用紙，送りローラと用紙，ニップと用紙，の順に大きくなるように各部の素材，形状，および圧接器具の圧力，ニップの圧力を調節する。
【０００９】
以上のように構成した装置において，ローラが回転すると，巻き込みローラからストッパ板までの用紙部分は，摩擦の小さい巻き込みローラの回転に同調せず，また保持器具とストッパ板とによって押さえ込まれるため，たわみを生じることなく用紙束に残る一方，残りの用紙部分は摩擦の大きい送りローラの送り機能により，用紙束から分離したうえ，ローラ対にはさまれた用紙部分がニップにむかってたわみ，さらにたわんだ用紙が送りローラと巻き込みローラとによって正しい位置でニップに捉えられて以降は，用紙全体が用紙束から分離し，ニップの反対側に搬出される。
【００１０】
保持器具と圧接器具との間に用紙が２枚残った状態では，圧接器具と用紙の摩擦が用紙同士の摩擦に勝るため，また１枚残った状態では送りローラと用紙の摩擦が圧接器具と用紙の摩擦に勝るため，正常に１枚ずつローラ対に巻き取られることになる。
【００１１】
しかし送りローラと用紙の間の摩擦がつねに一定である場合は，送りローラ上において，次の用紙の折り目予定位置が加工中の用紙終端位置を追い越し，結果として後の用紙の折り目が前の用紙の内側に入り込んだ状態で用紙が搬出されてしまう。
【００１２】
前記の現象を回避するためには，送りローラ上において，加工中の用紙終端と次の用紙の折り目予定位置との間に十分な空隙が必要であり，この空隙を生じさせるような送りローラの送り機能の一時無効化の工夫が必要になる。
【００１３】
請求項２の発明は，請求項１の発明において，圧接器具の圧力を可変とし，用紙同士の摩擦に対する，送りローラと用紙との摩擦が，加圧では勝り，減圧では劣るようにするか，送りローラと用紙束とを自在に接触させたり分離させたりできる機構を設けたものである。
【００１４】
まず圧接器具に加圧させるか，もしくは用紙束と送りローラを接触させることにより，用紙束から１枚の用紙を分離し，ローラ対間でたわませ，ニップに捉えさせる。そこで，圧接器具に減圧させるか，用紙束と送りローラとを分離すれば，用紙に対する送りローラの送り機能が無効化される。そして，送りローラに乗って加工されつつある用紙終端から十分な空隙を得ることができた後に，圧接器具に加圧させるか，用紙束と送りローラを接触させれば，断絶を間にはさんで前後の加工が継続することになり，その結果折り加工済みの用紙を１枚ずつ分離して得ることが出来る。
【００１５】
請求項３の発明は，請求項１の発明において，送りローラの円柱側面上に，円柱軸と平行なゾーンを設け，該ゾーンにのみ送りローラとしての摩擦が生じるように，かつ，他の側面部分である非ゾーンには巻き込みローラと同等の摩擦が生じるようにしたものである。
【００１６】
用紙束にある用紙がゾーンに接する状態を考えると，ローラの進行方向に対して用紙の折り目予定位置はゾーンの少し前に来る。ここで，すでにニップに捉えられ，巻き込まれつつある用紙の終端が必ず非ゾーン上に乗り，かつ該終端から十分な幅の非ゾーンが確保できるように，送りローラの直径およびゾーンの幅を適正に選べば，加工中の用紙の終端を見送った後，ゾーンが回ってきて用紙束と接するまで，用紙束は非ゾーンとのみ接することになり，この間送りローラの送り機能は無効化される。この結果折り加工済みの用紙を１枚ずつ分離して得ることが出来る。
【００１７】
請求項４の発明は，請求項２または請求項３の装置において，新たに追加ローラを設け，装置断面から見て，巻き込みローラの中心，送りローラの中心，追加ローラの中心が，送りローラの中心を頂点とする直角二等辺三角形様をなす位置関係で，追加ローラを送りローラに圧接させ，さらに，巻き込みローラに近い側が短く，他方が長い２枚の板を，末端のストッパを介して，１回折り加工済みの用紙がたわみなく出入りできるほどの隙間をあけて重ね合わせ，開口部を送りローラと追加ローラのニップ方向に向け，用紙束に対して平行ではなくゆるやかに角度を設けた状態にしたガイド板を加えたものである。
【００１８】
３つのローラが作る対のうち，巻き込みローラと送りローラの対をローラ対と，送りローラと追加ローラの対を追加ローラ対と称し，またガイド板の一方をなす長い板の先端部にあって，ローラ対のニップに対面する露出部分を露出部と，露出部を望む短い板の先端部を押さえ部と，またガイド板末端のストッパを追加ストッパと称する。
【００１９】
この装置において，用紙束とローラ対との接触を保ったまま，保持器具を送りローラ側に移動させた状態でローラを回転させると，ローラ対を通過した用紙は折り目を境にして巻き込みローラ側が短く，送りローラ側が長くなる。ローラ対によって搬出された用紙先端が露出部に当たると，用紙全体がガイド板の傾きによりガイド板の隙間に導かれ，先端が追加ストッパに当たる。このとき巻き込みローラ側の用紙終端が押さえ部の近くに来ているように，保持器具を移動させる量と，追加ストッパの位置とを調節すれば，なおローラ対から搬出中である送りローラ側の用紙部分が，押さえ部と追加ストッパとガイド板と露出部に押さえ込まれて，追加ローラ対のニップ方向にたわみ，そのまま追加ロール対に巻き取られ，用紙全体が内三つ折り加工を施されて搬出される。
【００２０】
一方，保持器具を巻き込みローラ側に移動させた状態でローラを回転させた場合は，ローラ対を通過して巻き込みローラ側に残った用紙部分が追加ローラ対方向にたわむことによって，外三つ折りの加工を施されて搬出されることになる。
【発明の効果】
【００２１】
本発明によれば，従来，用紙搬送行程に必要であった部品や機構が省略され，折り加工に必要な最小限の部品と機構によって構成された，簡単かつ安価な用紙折り装置を提供することができる。
【発明を実施するための形態】
【００２２】
請求項３の発明の実施の形態を実例にもとづき説明する。
【００２３】
ローラ対と，用紙束と，保持器具と，圧接器具と，がいずれも水平になるように構成した上で，ローラ対のニップの直下に斜面もしくはカーブ面を設け，ローラ対から送り出される折り加工済みの用紙が水平もしくは斜め下方に搬出された後，一段低い位置に置かれたトレイ様の収容器具で受け取れるようにする。
【００２４】
用紙束から分離した用紙がローラ対のニップ方向以外にはたわみを生じさせないように，用紙束を支える保持器具の上面は少なくとも用紙束の全長に及ばなくてはならず，また圧接器具の下面は少なくともストッパ板から送りローラ直上まで及ばなければならない。また，保持器具の上面と巻き込みローラ上面とはできるだけ隙間をつくらずに近接させることが望ましい。
【００２５】
送りローラの円柱側面上に設けるゾーンは，線状または帯状で，部分的に欠落を持った形状でもかまわない。またゾーンと非ゾーンとは高低差のない面をなすが，ゾーン部に，柔軟な素材を用いるか，または反発力を持って内側に埋没可能にするなどして，巻き込みローラとの圧接時に非ゾーンと高低差のない面をなせるよう工夫することにより，ゾーンを非ゾーンから浮き上がった形状に成型することも可能である。
【００２６】
ストッパ板とは反対側になる保持器具の末端には，用紙束の末端がストッパ板に正しく当接するように，十分な丈を持った板を設けるとよい。
【００２７】
圧接器具の下方圧力を一定に保つため，用紙束の自重の変化に応じて圧力を減じる機構を設けてもよいが，用紙束の自重の変化を見込んでも，なお各接触面の摩擦の大小関係が保持されるような圧力条件を求めた上で，圧接器具の下方圧力を一定に保つとともに，正常な使用にかなう用紙束の自重の上限を表示する，という方法が考えられる。
【実施例１】
【００２８】
請求項１または請求項２または請求項３または請求項４の発明の他の実施の形態を実例にもとづき説明する。
【００２９】
ローラの回転を，取っ手等を用いた手動とし，さらに圧接器具の上に手を置ける形態にすれば，片手でローラを回しながら，片手で圧接器具の下方圧力を手の力で加減しながら，機械式と同等の折り加工を実現することができる。この場合，動力源を必要とせず，また圧接器具の構造も簡単になるので，より安価な用紙折り装置を提供することができる。